(57)【要約】【課題】バネ部材がドア部材から外れるのを防止するとともに、バネ部材をドア部材に取り付ける際の作業性の向上を図ることが可能な記録再生装置内蔵型テレビジョンを提供する。【解決手段】このビデオデッキ内蔵型テレビジョン（記録再生装置内蔵型テレビジョン）１は、開口部２ｂを有するキャビネット２と、キャビネット２の開口部２ｂに配置されたドア部材５と、キャビネット２に当接する一方端部６ｂと、ドア部材５に当接する他方端部６ｃとを含むコイルバネ６とを備えている。そして、ドア部材５は、コイルバネ６が配置される回動軸５ｂと、回動軸５ｂから間隔Ｌ５を隔てて設けられた切欠部５ｃとを含み、コイルバネ６の他方端部６ｃは、先端部近傍に係合部６２ｃおよび６３ｃを含み、係合部６２ｃを切欠部５ｃに常時係合させることにより、回動軸５ｂに配置されたコイルバネ６が外れるのを防止する。【選択図】図２
2007287231.tif 000002
【特許請求の範囲】
【請求項１】
装置本体の内部に記録媒体を挿入および排出するための開口部を有する筐体と、前記筐体の開口部に配置されたドア部材と、前記開口部に配置された前記ドア部材を閉状態に付勢するとともに、前記筐体に当接する一方端部および前記ドア部材に当接する他方端部を含むバネ部材とを備えた記録再生装置内蔵型テレビジョンにおいて、
前記ドア部材は、前記ドア部材の側部から突出するとともに、前記バネ部材が配置される回動軸と、前記回動軸の軸方向に沿って前記ドア部材の中心側に前記回動軸から所定の間隔を隔てて設けられた係止部とを含み、
前記バネ部材の一方端部は、前記軸方向と実質的に垂直方向に延びるように形成され、
前記バネ部材の他方端部は、前記軸方向に沿って延びるとともに、先端部近傍に前記ドア部材の係止部と常時係合する係合部を含み、
前記バネ部材の他方端部の係合部を前記ドア部材の係止部に常時係合させることにより、前記回動軸に配置された前記バネ部材が外れるのを防止し、
前記ドア部材の係止部は、切欠部を含み、
前記バネ部材は、前記ドア部材の側部を前記軸方向に付勢する、記録再生装置内蔵型テレビジョン。
【請求項２】
装置本体の内部に記録媒体を挿入および排出するための開口部を有する筐体と、
前記筐体の開口部に配置されたドア部材と、
前記開口部に配置された前記ドア部材を閉状態に付勢するとともに、前記筐体に当接する一方端部と、前記ドア部材に当接する他方端部とを含むバネ部材とを備え、
前記ドア部材は、前記ドア部材の側部から突出するとともに、前記バネ部材が配置される回動軸と、前記回動軸の軸方向に沿って前記ドア部材の中心側に前記回動軸から所定の間隔を隔てて設けられるとともに、前記バネ部材の他方端部が常時係合されることにより、前記回動軸に配置された前記バネ部材が外れるのを防止するための係止部とを含む、記録再生装置。
【請求項３】
前記バネ部材の一方端部は、前記軸方向と実質的に垂直方向に延びるように形成され、
前記バネ部材の他方端部は、前記軸方向に沿って延びるとともに、先端部近傍に前記ドア部材の係止部と常時係合する係合部を含む、請求項２に記載の記録再生装置。
【請求項４】
前記ドア部材の係止部は、切欠部を含む、請求項２または３に記載の記録再生装置。
【請求項５】
前記ドア部材の回動軸に配置された前記バネ部材は、前記ドア部材を閉状態に付勢するとともに、前記ドア部材の側部を前記軸方向に付勢する、請求項２〜４のいずれか１項に記載の記録再生装置。
【請求項６】
請求項２〜５のいずれかに記載の記録再生装置を含む記録再生装置内蔵型電子機器。
【発明の詳細な説明】
【技術分野】
【０００１】
本発明は、記録再生装置内蔵型テレビジョン、記録再生装置および記録再生装置内蔵型電子機器に関し、特に、筐体の開口部に配置されるドア部材を備えた記録再生装置内蔵型テレビジョン、記録再生装置および記録再生装置内蔵型電子機器に関する。
【背景技術】
【０００２】
従来、筐体の開口部に一対の回動軸を有するドア（ドア部材）が回動可能に取り付けられた記録再生装置が知られている（たとえば、特許文献１および２参照）。
【０００３】
上記特許文献１には、回動軸の近傍にトーションバネ（バネ部材）が配置されるとともに、そのトーションバネの一方および他方の腕部（端部）がドアおよび筐体の支持部を挟み込むように配置されたＭＤプレーヤ（記録再生装置）が開示されている。このＭＤプレーヤのドアの一方の腕部は、ドアの前面側に形成された係止突起（係止部）に係合されている。また、このＭＤプレーヤでは、ドアが前方に回動された際に、トーションバネの一方の腕部がドアに伴って回動するとともに、トーションバネの他方の腕部が筐体の支持部の一方側面に係合する。また、ドアが後方に回動された際には、トーションバネの他方の腕部がドアに伴って回動するとともに、トーションバネの一方の腕部が筐体の支持部の他方側面に係合する。これにより、このＭＤプレーヤでは、トーションバネにより、ドアが回動される際に、ドアが回動される方向とは反対の方向（ドアが閉じる方向）にドアが付勢されている。また、このＭＤプレーヤでは、ドアが後方に回動された際に、トーションバネの一方の腕部が筐体の支持部の他方側面に係合してドアと離間した状態になるので、トーションバネの一方の腕部とドアの係止突起との係合が解除される。
【０００４】
また、上記特許文献２には、上縁部に切欠部が形成されるとともに、その切欠部の両側に互いに内側へ延びて対向するように一対の係止軸が形成され、かつ、その一対の係止軸にドアを閉状態に付勢するねじりコイルバネからなるスプリング（バネ部材）が取り付けられた磁気記録再生装置（記録再生装置）が開示されている。この磁気記録再生装置では、ドアに設けられる一対の係止軸間の間隔がねじりコイルバネからなるスプリングの長さよりも小さくなるように形成されている。したがって、ねじりコイルバネからなるスプリングが一対の係止軸に取り付けられる際には、スプリングの一方側が一対の係止軸の一方に斜め方向から挿入されるとともに、スプリングの他方側が一対の係止軸の他方に対向する位置までスプリングが一対の係止軸の一方に挿入される。そして、その後、スプリングの他方側が一対の係止軸の他方に挿入される。
【０００５】
【特許文献１】特開２０００−３３１４７０号公報
【特許文献２】特開２００４−５５０２４号公報
【発明の開示】
【発明が解決しようとする課題】
【０００６】
しかしながら、上記特許文献１に開示されたＭＤプレーヤでは、上記のように、ドアが後方に回動された際に、トーションバネの一方の腕部とドアの係止突起との係合が解除される。したがって、ドアが後方に回動された際に、トーションバネの一方の腕部とドアの係止突起との係合が解除された状態でドアの回動軸が筐体から外れた場合には、回動軸の近傍に配置されたトーションバネがドアから外れてしまうという問題点が生じる。
【０００７】
また、上記特許文献２に開示された磁気記録再生装置では、上記特許文献１に開示されたＭＤプレーヤと異なり、ねじりコイルバネからなるスプリングが一対の係止軸に取り付けられているので、ドアの回動軸が筐体から外れた場合にも、スプリングがドアから外れてしまうという不都合が発生するのを抑制することができる。その一方、この特許文献２の磁気記録再生装置では、ドアに設けられる一対の係止軸間の間隔がねじりコイルバネからなるスプリングの長さよりも小さいため、ねじりコイルバネからなるスプリングをドアの一対の係止軸に取り付けにくいという不都合がある。すなわち、ねじりコイルバネからなるスプリングを一対の係止軸に取り付ける際には、スプリングの一方側を一対の係止軸の一方に斜め方向から挿入するとともに、スプリングの他方側が一対の係止軸の他方に対向する位置までスプリングを一対の係止軸の一方に挿入する。そして、その後、スプリングの他方側を一対の係止軸の他方に挿入する必要があるので、スプリングをドアに取り付ける作業が煩雑になるという不都合がある。その結果、上記特許文献２では、スプリングをドアに取り付ける際の作業性の向上を図ることが困難であるという問題点がある。
【０００８】
この発明は、上記のような課題を解決するためになされたものであり、この発明の１つの目的は、バネ部材がドア部材から外れるのを防止するとともに、バネ部材をドア部材に取り付ける際の作業性の向上を図ることが可能な記録再生装置内蔵型テレビジョン、記録再生装置および記録再生装置内蔵型電子機器を提供することである。
【課題を解決するための手段および発明の効果】
【０００９】
この発明の第１の局面における記録再生装置内蔵型テレビジョンは、装置本体の内部に記録媒体を挿入および排出するための開口部を有する筐体と、筐体の開口部に配置されたドア部材と、開口部に配置されたドア部材を閉状態に付勢するとともに、筐体に当接する一方端部およびドア部材に当接する他方端部を含むバネ部材とを備えた記録再生装置内蔵型テレビジョンにおいて、ドア部材は、ドア部材の側部から突出するとともに、バネ部材が配置される回動軸と、回動軸の軸方向に沿ってドア部材の中心側に回動軸から所定の間隔を隔てて設けられた係止部とを含み、バネ部材の一方端部は、軸方向と実質的に垂直方向に延びるように形成され、バネ部材の他方端部は、軸方向に沿って延びるとともに、先端部近傍にドア部材の係止部と常時係合する係合部を含み、バネ部材の他方端部の係合部をドア部材の係止部に常時係合させることにより、回動軸に配置されたバネ部材が外れるのを防止し、ドア部材の係止部は、切欠部を含み、バネ部材は、ドア部材の側部を軸方向に付勢する。
【００１０】
この第１の局面による記録再生装置内蔵型テレビジョンでは、上記のように、バネ部材の他方端部が常時係合されることにより、回動軸に配置されたバネ部材が外れるのを防止する係止部を含むドア部材を設けることによって、ドア部材が筐体から外れたときにドア部材が開状態または閉状態のいずれであっても、バネ部材の他方端部がドア部材の係止部に常時係合されるので、バネ部材がドア部材から外れるのを防止することができる。これにより、ドア部材から外れたバネ部材が配線基板などの電子部品に接触して、電気的なショートなどが発生するのを防止することができる。また、ドア部材の側部から突出するとともに、バネ部材が配置される回動軸をドア部材に設け、かつ、ドア部材の係止部を、回動軸の軸方向に沿ってドア部材の中心側に回動軸から所定の間隔を隔てて形成するとともに、バネ部材の他方端部が常時係合するように構成することによって、バネ部材をドア部材の回動軸にドア部材の中心側と反対側から挿入するとともに、挿入されたバネ部材の他方端部をドア部材の係止部に係合させるように配置することにより、バネ部材を容易にドア部材に取り付けることができる。これにより、バネ部材をドア部材に取り付ける際の作業性の向上を図ることができる。
【００１１】
また、第１の局面では、バネ部材の一方端部を、軸方向と実質的に垂直方向に延びるように形成し、かつ、バネ部材の他方端部を、軸方向に沿って延びるとともに、先端部近傍にドア部材の係止部と常時係合する係合部を含むように構成することによって、容易に、バネ部材の一方端部を筐体に当接させることができるとともに、バネ部材の他方端部の係合部を、ドア部材の係止部と係合させることが可能な状態で、他方端部の係合部をドア部材に当接させることができる。また、ドア部材の係止部を、切欠部を含むように構成することによって、容易に、バネ部材の他方端部の係合部をドア部材の切欠部に係合させることができる。また、ドア部材の回動軸に配置されたバネ部材を、ドア部材を閉状態に付勢するとともに、ドア部材の側部を軸方向に付勢するように構成することによって、バネ部材により、ドア部材の側部が軸方向にも付勢されるので、ドア部材が筐体に取り付けられた状態でドア部材が軸方向にがたつくのを抑制することができる。
【００１２】
この発明の第２の局面による記録再生装置は、装置本体の内部に記録媒体を挿入および排出するための開口部を有する筐体と、筐体の開口部に配置されたドア部材と、開口部に配置されたドア部材を閉状態に付勢するとともに、筐体に当接する一方端部と、ドア部材に当接する他方端部とを含むバネ部材とを備え、ドア部材は、ドア部材の側部から突出するとともに、バネ部材が配置される回動軸と、回動軸の軸方向に沿ってドア部材の中心側に回動軸から所定の間隔を隔てて設けられるとともに、バネ部材の他方端部が常時係合されることにより、回動軸に配置されたバネ部材が外れるのを防止するための係止部とを含む。
【００１３】
この第２の局面による記録再生装置では、上記のように、バネ部材の他方端部が常時係合されることにより、回動軸に配置されたバネ部材が外れるのを防止する係止部を含むドア部材を設けることによって、ドア部材が筐体から外れたときにドア部材が開状態または閉状態のいずれであっても、バネ部材の他方端部がドア部材の係止部に常時係合されるので、バネ部材がドア部材から外れるのを防止することができる。これにより、ドア部材から外れたバネ部材が配線基板などの電子部品に接触して、電気的なショートなどが発生するのを防止することができる。また、ドア部材の側部から突出するとともに、バネ部材が配置される回動軸をドア部材に設け、かつ、ドア部材の係止部を、回動軸の軸方向に沿ってドア部材の中心側に回動軸から所定の間隔を隔てて形成するとともに、バネ部材の他方端部が常時係合するように構成することによって、バネ部材をドア部材の回動軸にドア部材の中心側と反対側から挿入するとともに、挿入されたバネ部材の他方端部をドア部材の係止部に係合させるように配置することにより、バネ部材を容易にドア部材に取り付けることができる。これにより、バネ部材をドア部材に取り付ける際の作業性の向上を図ることができる。
【００１４】
上記第２の局面による記録再生装置において、好ましくは、バネ部材の一方端部は、軸方向と実質的に垂直方向に延びるように形成され、バネ部材の他方端部は、軸方向に沿って延びるとともに、先端部近傍にドア部材の係止部と常時係合する係合部を含む。このように構成すれば、容易に、バネ部材の一方端部を筐体に当接させることができるとともに、バネ部材の他方端部の係合部を、ドア部材の係止部と係合させることが可能な状態で、他方端部の係合部をドア部材に当接させることができる。
【００１５】
上記第２の局面による記録再生装置において、好ましくは、ドア部材の係止部は、切欠部を含む。このように構成すれば、容易に、バネ部材の他方端部の係合部をドア部材の切欠部に係合させることができる。
【００１６】
上記第２の局面による記録再生装置において、好ましくは、ドア部材の回動軸に配置されたバネ部材は、ドア部材を閉状態に付勢するとともに、ドア部材の側部を軸方向に付勢する。このように構成すれば、バネ部材により、ドア部材の側部が軸方向にも付勢されるので、ドア部材が筐体に取り付けられた状態でドア部材が軸方向にがたつくのを抑制することができる。
【００１７】
この発明の第３の局面による記録再生装置内蔵型電子機器は、上記第１または第２の局面による記録再生装置を含む記録再生装置内蔵型電子機器である。このように構成すれば、容易に、バネ部材がドア部材から外れるのを防止するとともに、バネ部材をドア部材に取り付ける際の作業性の向上を図ることが可能な記録再生装置内蔵型電子機器を得ることができる。
【発明を実施するための最良の形態】
【００１８】
以下、本発明を具体化した実施形態を図面に基づいて説明する。
【００１９】
図１は、本発明の一実施形態によるビデオデッキ内蔵型テレビジョンの全体構成を示した正面図である。図２は、図１に示した一実施形態によるビデオデッキ内蔵型テレビジョンを示した分解斜視図である。図３〜図５は、図１に示した一実施形態によるビデオデッキ内蔵型テレビジョンの構造の詳細を説明するための図である。図１〜図５を参照して、本発明の一実施形態によるビデオデッキ内蔵型テレビジョン１の構造について説明する。なお、本実施形態では、記録再生装置内蔵型テレビジョンの一例であるビデオデッキ内蔵型テレビジョン１に本発明を適用した場合について説明する。
【００２０】
本発明の一実施形態によるビデオデッキ内蔵型テレビジョン１は、図１に示すように、ビデオデッキ内蔵型テレビジョン１の外枠を構成するキャビネット２と、キャビネット２に取り付けられたＣＲＴ（ＣＡＴＨＯＤＥ  ＲＡＹ  ＴＵＢＥ：陰極線管）３と、ＣＲＴ３の下方に配置されたビデオデッキ４と、キャビネット２に開閉可能に取り付けられた樹脂製のドア部材５と、ドア部材５を付勢するためのコイルバネ６（図２参照）とを備えている。なお、キャビネット２は、本発明の「筐体」の一例であり、コイルバネ６は、本発明の「バネ部材」の一例である。
【００２１】
キャビネット２は、図１および図２に示すように、ＣＲＴ３の表示領域３ａが外部に露出される表示窓２ａと、ビデオテープ（図示せず）をビデオデッキ４に挿入するとともに、ビデオデッキ４から排出するための開口部２ｂと、ビデオテープをビデオデッキ４に挿入するとともに、ビデオデッキ４から排出する際のガイドとして機能するガイド部２ｃと、ドア部材５を回動可能に支持する一対のドア部材取付部２ｄと、後述するコイルバネ６の一方端部６ｂと当接する当接部２ｅとを含んでいる。
【００２２】
キャビネット２の開口部２ｂは、表示窓２ａの下方に長方形状に形成されている。この開口部２ｂの長手方向（幅方向）の長さＬ１は、ビデオテープ（図示せず）の長さよりも若干大きい長さを有するとともに、短手方向（高さ方向）の長さＬ２は、ビデオテープ（図示せず）の厚みよりも若干大きい長さを有している。
【００２３】
キャビネット２のガイド部２ｃ、ドア部材取付部２ｄおよび当接部２ｅは、それぞれ、キャビネット２の内部側にキャビネット２の内面に対して実質的に垂直方向に突出して延びるように形成されている。また、ガイド部２ｃは、開口部２ｂの下端部近傍に開口部２ｂの長手方向に沿って延びるように板状に形成されている。また、一対のドア部材取付部２ｄは、それぞれ、開口部２ｂの上端部近傍で、かつ、開口部２ｂの外側方に形成されている。また、一対のドア部材取付部２ｄには、それぞれ、後述するドア部材５の回動軸５ｂが挿入される回動軸挿入孔２１ｄが開口部２ｂの長手方向に延びるように形成されている。また、回動軸挿入孔２１ｄは、直径Ｄ１を有する円形状に形成されている。また、当接部２ｅは、ドア部材取付部２ｄの上方から開口部２ｂ側に開口部２ｂの長手方向に延びるように形成されている。
【００２４】
ここで、本実施形態では、図２〜図５に示すように、樹脂製のドア部材５は、板状のドア部５ａと、ドア部５ａの両側部の上端からそれぞれ外側方に突出する円柱形状の回動軸５ｂと、後述するコイルバネ６の他方端部６ｃが常時係合される切欠部５ｃと、ドア部５ａの両側部からそれぞれ外側方に突出する回動規制部５ｄとを含んでいる。なお、切欠部５ｃは、本発明の「係止部」の一例である。
【００２５】
また、本実施形態では、ドア部材５のドア部５ａの長手方向の長さＬ３は、キャビネット２の開口部２ｂの長手方向の長さＬ１とほぼ同じ長さを有するとともに、短手方向（高さ方向）の長さＬ４は、キャビネット２の開口部２ｂの短手方向の長さＬ２とほぼ同じ長さを有する。また、樹脂製のドア部５ａは、ドア部材５をキャビネット２に取り付ける際に弾性変形可能に構成されている。また、ドア部５ａの一方の回動軸５ｂと切欠部５ｃとの間の前面には、当接部５１ａ（図４参照）が形成されている。
【００２６】
ドア部材５の円柱形状の回動軸５ｂは、円形状の回動軸挿入孔２１ｄの直径Ｄ１（図２参照）とほぼ同じ大きさの直径Ｄ２（図２参照）を有している。また、一対の回動軸５ｂが、それぞれ、キャビネット２の回動軸挿入孔２１ｄに挿入されることにより、ドア部材５が回動軸５ｂを中心として回動可能に取り付けられている。また、図５に示すように、ドア部材５の切欠部５ｃは、回動軸５ｂの軸方向に沿ってドア部材５の中心側（矢印Ａ方向側）に一方の回動軸５ｂから間隔Ｌ５（図５参照）を隔てて形成されている。ドア部材５の一対の回動規制部５ｄは、それぞれ、ドア部５ａがキャビネット２の前面と平行な状態に位置することによりドア部材５が閉状態のときに、キャビネット２の内表面と当接するように形成されている。これにより、コイルバネ６によりキャビネット２の外表面側に付勢されるドア部材５がキャビネット２の外表面側に突出するのを規制することが可能である。
【００２７】
また、本実施形態では、図３〜図５に示すように、コイルバネ６は、コイル部６ａと、一方端部６ｂと、他方端部６ｃとを含んでいる。コイルバネ６のコイル部６ａは、ドア部材５の回動軸５ｂの直径Ｄ２（図４参照）よりも大きい内径Ｄ３（図４参照）を有している。また、コイル部６ａは、ドア部材５がキャビネット２に取り付けられた状態で、圧縮コイルバネ機能によりドア部材５を矢印Ａ方向に付勢するとともに、ねじりコイルバネ機能によりドア部材５をＢ方向に付勢する機能を有している。コイルバネ６の一方端部６ｂは、コイル部６ａの長さ方向と実質的に垂直方向に延びるように形成されている。また、一方端部６ｂは、ドア部材５がキャビネット２に取り付けられた状態で、キャビネット２の当接部２ｅと当接するように設けられている。
【００２８】
また、本実施形態では、コイルバネ６の他方端部６ｃは、コイル部６ａの長さ方向に沿って延びるように形成された連結部６１ｃと、コイル部６ａの長さ方向と実質的に垂直方向に延びるように形成された係合部６２ｃと、係合部６３ｃとを含んでいる。この係合部６３ｃは、図４および図５に示すように、係合部６２ｃの延びる方向に対して所定の角度傾斜するとともに、コイル部６ａの長さ方向に対して所定の角度傾斜するように形成されている。他方端部６ｃの連結部６１ｃは、一方の回動軸５ｂから切欠部５ｃまでの間隔Ｌ５（図５参照）よりも大きい長さＬ６（図５参照）を有している。また、連結部６１ｃは、弾性変形することにより、ドア部５ａの前面側に配置された係合部６３ｃをドア部５ａの背面側に配置することが可能なように構成されている。
【００２９】
また、連結部６１ｃは、コイルバネ６がドア部材５に取り付けられた状態で、ドア部５ａの当接部５１ａ（図４参照）と当接することにより、コイルバネ６がＣ方向に回動するのを規制する機能を有している。また、係合部６３ｃは、コイルバネ６がドア部材５に取り付けられた状態で、ドア部５ａの背面と当接することにより、コイルバネ６がＢ方向に回動するのを規制する機能を有している。これにより、コイルバネ６がドア部材５に取り付けられた状態では、コイルバネ６がＢ方向およびＣ方向に回動するのが常時規制されるので、コイルバネ６が矢印Ｄ方向（図３参照）に移動する場合には、係合部６２ｃが切欠部５ｃと常時係合することにより、コイルバネ６が矢印Ｄ方向（図３参照）に移動するのを規制することが可能なように構成されている。
【００３０】
また、コイルバネ６の係合部６２ｃおよび６３ｃは、ドア部材５がキャビネット２に取り付けられた状態で、ドア部５ａの背面と当接するように設けられている。
【００３１】
次に、図２〜図４を参照して、本実施形態によるビデオデッキ内蔵型テレビジョン１のドア部材５にコイルバネ６を取り付ける際の方法について説明する。
【００３２】
まず、図２に示すように、コイルバネ６が矢印Ａ方向に移動されることにより、コイル部６ａがドア部材５の一方の回動軸５ｂに、コイル部６ａの他方端部６ｃ側がドア部材５の一方の側部と当接するまで挿入される。このとき、コイルバネ６の他方端部６ｃは、ドア部材５の前面側に配置されている。次に、他方端部６ｃの連結部６１ｃを弾性変形させた状態でコイルバネ６をＣ方向に回動させることにより、ドア部材５の前面側に配置された他方端部６ｃの係合部６３ｃがドア部材５の背面側に配置される。これにより、図３および図４に示すように、コイルバネ６がドア部材５に取り付けられる。
【００３３】
本実施形態では、上記のように、コイルバネ６の他方端部６ｃが常時係合されることにより、一方の回動軸５ｂに配置されたコイルバネ６が外れるのを防止する切欠部５ｃを含むドア部材５を設けることによって、ドア部材５がキャビネット２から外れたときにドア部材５が開状態または閉状態のいずれであっても、コイルバネ６の他方端部６ｃがドア部材５の切欠部５ｃに常時係合されるので、コイルバネ６がドア部材５から外れるのを防止することができる。これにより、ドア部材５から外れたコイルバネ６が配線基板などの電子部品に接触して、電気的なショートなどが発生するのを防止することができる。
【００３４】
また、本実施形態では、ドア部材５の側部から突出するとともに、コイルバネ６が配置される回動軸５ｂをドア部材５に設け、かつ、ドア部材５の切欠部５ｃを、回動軸５ｂの軸方向に沿ってドア部材５の中心側に一方の回動軸５ｂから間隔Ｌ５（図５参照）を隔てて形成するとともに、コイルバネ６の他方端部６ｃが常時係合するように構成することによって、コイルバネ６をドア部材５の側部から突出する一方の回動軸５ｂに矢印Ａ方向に挿入するとともに、挿入されたコイルバネ６の他方端部６ｃをドア部材５の切欠部５ｃに係合させるように配置することにより、コイルバネ６を容易にドア部材５に取り付けることができる。これにより、コイルバネ６をドア部材５に取り付ける際の作業性の向上を図ることができる。
【００３５】
また、本実施形態では、コイルバネ６の一方端部６ｂを、軸方向と実質的に垂直方向に延びるように形成し、かつ、コイルバネ６の他方端部６ｃを、軸方向に沿って延びるとともに、先端部近傍にドア部材５の切欠部５ｃと常時係合する係合部６２ｃを含むように構成することによって、容易に、コイルバネ６の一方端部６ｂをキャビネット２に当接させることができるとともに、コイルバネ６の他方端部６ｃの係合部６２ｃをドア部材５の切欠部５ｃと係合させることが可能な状態で、他方端部６ｃの係合部６２ｃおよび６３ｃをドア部材５のドア部５ａに当接させることができる。
【００３６】
また、本実施形態では、ドア部材５の一方の回動軸５ｂに配置されたコイルバネ６を、ドア部材５をＢ方向に付勢するとともに、ドア部材５の側部を矢印Ａ方向に付勢するように構成ことによって、コイルバネ６により、ドア部材５の側部が矢印Ａ方向にも付勢されるので、ドア部材５がキャビネット２に取り付けられた状態でドア部材５が軸方向（矢印Ａ方向および矢印Ｄ方向）にがたつくのを抑制することができる。
【００３７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３８】
たとえば、上記実施形態では、記録再生装置内蔵型テレビジョンの一例としてビデオデッキ４を備えたビデオデッキ内蔵型テレビジョン１について説明したが、本発明はこれに限らず、フロッピーディスクドライブやＭＤプレーヤなどの他の記録再生装置装置を備えた電子機器にも適用可能である。
【００３９】
また、上記実施形態では、ドア部材５の係止部の一例として切欠部５ｃを形成するとともに、切欠部５ｃにコイルバネ６の係合部６２ｃを係合させる例を示したが、本発明はこれに限らず、図６に示した変形例のドア部材５０のように、円形状の係合穴５０ａを形成するとともに、係合穴５０ａにコイルバネ６の係合部６２ｃを係合させるようにしてもよい。
【００４０】
また、上記実施形態では、コイルバネ６を一方の回動軸５ｂのみに配置するとともに、そのコイルバネ６の係合部６２ｃを係合させる切欠部５ｃをドア部材５に形成する例を示したが、本発明はこれに限らず、一方および他方の回動軸にそれぞれコイルバネを配置するとともに、その２つのコイルバネの係合部を係合させる切欠部をドア部材に形成するようにしてもよい。
【図面の簡単な説明】
【００４１】
【図１】本発明の一実施形態によるビデオデッキ内蔵型テレビジョンの全体構成を示した正面図である。
【図２】図１に示した一実施形態によるビデオデッキ内蔵型テレビジョンを示した分解斜視図である。
【図３】図１に示した一実施形態によるビデオデッキ内蔵型テレビジョンのドア部材にコイルバネを取り付けた状態を示した拡大斜視図である。
【図４】図３の１００−１００の線に沿った断面図である。
【図５】図１に示した一実施形態によるビデオデッキ内蔵型テレビジョンのドア部材を内部側から示した拡大正面図である。
【図６】図１に示した一実施形態の変形例によるビデオデッキ内蔵型テレビジョンのドア部材を内部側から示した拡大正面図である。
【符号の説明】
【００４２】
１  ビデオデッキ内蔵型テレビジョン（記録再生装置内蔵型テレビジョン）
２  キャビネット（筐体）
２ｂ  開口部
５  ドア部材
５ｂ  回動軸
５ｃ  切欠部（係止部）
６  コイルバネ（バネ部材）
６ｂ  一方端部
６ｃ  他方端部
６２ｃ、６３ｃ  係合部
５０  ドア部材
５０ａ  係合穴（係止部）
【図１】
2007287231.tif 000003
【図２】
2007287231.tif 000004
【図３】
2007287231.tif 000005
【図４】
2007287231.tif 000006
【図５】
2007287231.tif 000007
【図６】
2007287231.tif 000008